(57)【特許請求の範囲】
【請求項１】
車両に搭載される車載装置と、ユーザが携帯する携帯機とを含み、
前記車載装置は、
前記ユーザの操作入力により、前記車両に搭載されてバッテリからの電源供給により動作する車載機器を指定し、指定した車載機器の予め定められた動作を継続する動作継続モードへの移行を指示する動作継続モード移行指示部と、
前記車両の走行に関する状態を取得する車両状態取得部と、
取得した前記車両の状態に基づき、前記動作継続モードへの移行条件が成立したか否かを判定する移行条件判定部と、
前記動作継続モードへの移行条件が成立したと判定したとき、予め定められた動作継続時間だけ、指定した前記車載機器における前記動作継続モードに対応した動作の実行を制御する動作制御部と、
前記携帯機に、第１周波数帯の電波にて、前記動作継続モードへ移行した旨および前記動作継続時間を含むモード移行信号を送信する第１車載装置側送信部と、
を備え、
前記携帯機は、
前記車載装置からの前記モード移行信号を受信する第１携帯機側受信部と、
前記モード移行信号を受信したときに、前記モード移行信号に含まれる前記動作継続時間に基づいて、前記動作継続モードの残り時間を報知する報知部と、
を備えることを特徴とする車載機器制御システム。
【請求項２】
前記携帯機は、前記第１携帯機側受信部が前記モード移行信号を受信したときに、第２周波数帯の電波にて前記車載装置へモード移行応答信号を送信する第２携帯機側送信部を備え、
前記車載装置は、前記モード移行応答信号を受信するための第２車載装置側受信部を備える請求項１に記載の車載機器制御システム。
【請求項３】
車両に搭載される車載装置と、ユーザが携帯する携帯機とを含み、
前記車載装置は、
前記ユーザの操作入力により、前記車両に搭載されてバッテリからの電源供給により動作する車載機器を指定し、指定した車載機器の予め定められた動作を継続する動作継続モードへの移行を指示する動作継続モード移行指示部と、
前記車両の走行に関する状態を取得する車両状態取得部と、
取得した前記車両の状態に基づき、前記動作継続モードへの移行条件が成立したか否かを判定する移行条件判定部と、
前記動作継続モードへの移行条件が成立したと判定したとき、予め定められた動作継続時間だけ、指定した前記車載機器における前記動作継続モードに対応した動作の実行を制御する動作制御部と、
前記携帯機に、第１周波数帯の電波にて、前記動作継続モードへ移行した旨および前記動作継続時間を含むモード移行信号を送信する第１車載装置側送信部と、
前記携帯機からのモード移行応答信号を受信するための第２車載装置側受信部と、
を備え、
前記携帯機は、
前記車載装置からの前記モード移行信号を受信する第１携帯機側受信部と、
前記モード移行信号を受信したときに、その旨を報知する報知部と、
前記第１携帯機側受信部が前記モード移行信号を受信したときに、第２周波数帯の電波にて前記車載装置へ前記モード移行応答信号を送信する第２携帯機側送信部と、
を備えることを特徴とする車載機器制御システム。
【請求項４】
前記携帯機の報知部は、前記第１携帯機側受信部が前記モード移行信号を受信したときに、前記モード移行信号に含まれる前記動作継続時間に基づいて、前記動作継続モードの残り時間を報知する請求項３に記載の車載機器制御システム。
【請求項５】
前記車載装置は、前記動作継続モード中に、予め定められた動作継続モード解除条件が成立したか否かを判定する解除条件判定部を備え、
前記動作継続モード解除条件が成立したと判定したときに、前記動作制御部は前記動作継続モードを解除して、前記動作継続モード解除条件に応じて前記車載機器の動作制御を行う請求項１ないし請求項４のいずれか１項に記載の車載機器制御システム。
【請求項６】
前記携帯機は、ユーザが操作入力を行うための操作部と、
前記ユーザが動作継続モードの解除を指示する操作入力を行ったか否かを判定する操作判定部と、を備え、
前記第２携帯機側送信部は、前記操作判定部が、前記ユーザが動作継続モードの解除を指示する操作入力を行ったと判定したときに、動作継続モード解除要求信号を送信するとともに、前記報知部は、前記動作継続モードの解除を報知し、
前記車載装置は、前記動作継続モード解除要求信号を受信するための第２車載装置側受信部を備え、
前記解除条件判定部は、前記第２車載装置側受信部が前記動作継続モード解除要求信号を受信したときに、前記動作継続モード解除条件が成立したと判定し、前記動作制御部は前記車載機器の予め定められた動作を停止する請求項２ないし請求項４のいずれか１項を引用する請求項５に記載の車載機器制御システム。
【請求項７】
前記車載装置は、前記車両のエンジンの始動操作を検出する始動操作検出部を備え、
前記解除条件判定部は、前記車両のエンジンの始動操作を検出したときに、前記動作継続モード解除条件が成立したと判定し、前記動作制御部は前記車載機器の状態を前記動作継続モード移行前の状態に戻し、前記第１車載装置側送信部は、前記携帯機に動作継続モード解除信号を送信する請求項５または請求項６に記載の車載機器制御システム。
【請求項８】
車両に搭載される車載装置と、ユーザが携帯する携帯機とを含み、
前記車載装置は、
前記ユーザの操作入力により、前記車両に搭載されてバッテリからの電源供給により動作する車載機器を指定し、指定した車載機器の予め定められた動作を継続する動作継続モードへの移行を指示する動作継続モード移行指示部と、
前記車両の走行に関する状態を取得する車両状態取得部と、
取得した前記車両の状態に基づき、前記動作継続モードへの移行条件が成立したか否かを判定する移行条件判定部と、
前記動作継続モードへの移行条件が成立したと判定したとき、予め定められた動作継続時間だけ、指定した前記車載機器における前記動作継続モードに対応した動作の実行を制御する動作制御部と、
前記動作継続モードへの移行条件が成立したと判定したとき、前記携帯機に、第１周波数帯の電波にて、前記携帯機に予め定められたデータの送信を要求する通信要求信号を送信する第１車載装置側送信部と、
前記携帯機から、第２周波数帯の電波にて、前記通信要求信号に応答して送信される車両状態要求信号を受信する第２車載装置側受信部と、
前記車両状態要求信号を受信したときに、前記動作継続モードへ移行した旨および前記動作継続時間を含む動作状態信号を、前記第２周波数帯の電波にて送信する第２車載装置側送信部と、
を備え、
前記携帯機は、
前記車載装置からの前記通信要求信号を受信する第１携帯機側受信部と、
前記通信要求信号を受信したときに、前記第２周波数帯の電波にて前記車載装置へ車両状態要求信号を送信する第２携帯機側送信部と、
前記動作状態信号を受信する第２携帯機側受信部と、
前記第２携帯機側受信部が、前記動作状態信号を受信したときに、その旨を報知する報知部と、
を備えることを特徴とする車載機器制御システム。
【請求項９】
前記携帯機の前記第２携帯機側送信部は、前記第２携帯機側受信部が前記動作状態信号を受信した後、予め定められたタイミングで前記車両状態要求信号を送信し、
前記車載装置は、前記動作継続モード中に前記第２車載装置側受信部が前記車両状態要求信号を受信したときに、前記第２車載装置側送信部は、前記動作継続モードで動作中の車載機器の動作状態を含む動作状態信号を送信する請求項８に記載の車載機器制御システム。
【請求項１０】
前記携帯機の前記報知部は、前記動作状態信号に含まれる動作継続時間に基づく前記動作継続モードの残り時間、および前記車載機器の動作状態を報知する請求項８または請求項９に記載の車載機器制御システム。
【請求項１１】
前記携帯機の前記報知部は、前記第２携帯機側送信部が前記車両状態要求信号を送信後、予め定められた時間内に前記第２携帯機側受信部が前記動作状態信号を受信しなかったとき、その旨を報知する請求項８ないし請求項１０のいずれか１項に記載の車載機器制御システム。
【請求項１２】
前記車載装置は、前記動作継続モード中に、予め定められた動作継続モード解除条件が成立したか否かを判定する解除条件判定部を備え、
前記解除条件判定部が、前記動作継続モード解除条件が成立したと判定したときに、前記動作制御部は前記動作継続モードを解除して、前記動作継続モード解除条件に応じて前記車載機器の動作制御を行い、前記第２車載装置側送信部は前記動作継続モード解除条件が成立した旨を含む動作状態信号を送信する請求項８ないし請求項１１のいずれか１項に記載の車載機器制御システム。
【請求項１３】
前記携帯機の前記報知部は、前記第２携帯機側受信部が受信した前記動作状態信号に前記動作継続モード解除条件が成立した旨を含むとき、その旨を報知する請求項１２に記載の車載機器制御システム。
【請求項１４】
前記車載装置の前記解除条件判定部は、予め定められた時間内に前記第２車載装置側受信部が前記車両状態要求信号を受信しなかったとき、前記動作継続モード解除条件が成立したと判定し、前記動作制御部は前記車載機器の予め定められた動作を停止する請求項１２または請求項１３に記載の車載機器制御システム。
【請求項１５】
前記車載装置は、前記車両のエンジンの始動操作を検出する始動操作検出部を備え、
前記解除条件判定部は、前記始動操作検出部が、前記車両のエンジンの始動操作を検出したときに、前記動作継続モード解除条件が成立したと判定するとともに、前記第１車載装置側送信部は前記携帯機に前記通信要求信号を送信し、
前記携帯機の前記第２携帯機側受信部が前記通信要求信号を受信したときに、前記第２携帯機側送信部は前記車両状態要求信号を送信し、
前記車載装置は、前記第２車載装置側受信部が前記車両状態要求信号を受信したときに、前記動作制御部は前記車載機器の状態を前記動作継続モード移行前の状態に戻し、前記第２車載装置側送信部が動作継続モード解除信号を送信する請求項１２ないし請求項１４のいずれか１項に記載の車載機器制御システム。
【請求項１６】
前記携帯機は、ユーザが操作入力を行うための操作部と、
前記ユーザが動作継続モードの解除を指示する操作入力を行ったか否かを判定する操作判定部と、を備え、
前記携帯機の前記第２携帯機側送信部は、前記操作判定部が、前記ユーザが動作継続モードの解除を指示する操作入力を行ったと判定したときに、動作継続モード解除要求信号を送信するとともに、前記報知部は、前記動作継続モードの解除を報知し、
前記車載装置の前記解除条件判定部は、前記第２車載装置側受信部が前記動作継続モード解除要求信号を受信したときに、前記動作継続モード解除条件が成立したと判定し、前記動作制御部は前記車載機器の予め定められた動作を停止し、前記第２車載装置側送信部は、前記動作継続モード解除要求信号に応答するモード解除応答信号を送信する請求項１２ないし請求項１５のいずれか１項に記載の車載機器制御システム。
【請求項１７】
前記第２周波数帯は、ＵＨＦ帯である、請求項２ないし請求項４のいずれか１項、または、請求項２ないし請求項４のいずれか１項を引用する請求項５ないし請求項７のいずれか１項、または、請求項８ないし請求項１６のいずれか１項に記載の車載機器制御システム。
【請求項１８】
前記車載装置は、前記車両状態取得部が取得した前記車両の状態に基づいて、前記車両が駐車状態にあるか否かを判定する駐車状態判定部を備え、
前記移行条件判定部は、前記駐車状態判定部が、前記車両が駐車状態にあると判定したときに、前記動作継続モードへの移行条件が成立したと判定する請求項１ないし請求項１７のいずれか１項に記載の車載機器制御システム。
【請求項１９】
前記車載装置の前記車両状態取得部は、前記バッテリの充電状態を取得するバッテリ状態取得部を含み、
前記バッテリの充電状態に含まれる前記バッテリの充電電力が予め定められた電力閾値を上回るか否かを判定するバッテリ状態判定部を備え、
前記移行条件判定部は、前記バッテリ状態判定部が、前記バッテリの充電電力が予め定められた電力閾値を上回ると判定したときに、前記動作継続モードへの移行条件が成立したと判定する請求項１ないし請求項１８のいずれか１項に記載の車載機器制御システム。
【請求項２０】
前記車載装置は、前記車両のボンネットフードの開閉状態を取得するボンネットフード状態取得部を備え、
前記動作制御部は、前記動作継続モード中に、前記ボンネットフードが開状態であるときに、前記動作継続モードを解除し前記車載機器の予め定められた動作を停止する請求項１ないし請求項１９のいずれか１項に記載の車載機器制御システム。
【請求項２１】
前記車載装置は、前記バッテリの充電状態を取得するバッテリ状態取得部を備え、
前記バッテリの充電状態に含まれる前記バッテリの充電電力が予め定められた電力閾値を上回るか否かを判定するバッテリ状態判定部を備え、
前記動作制御部は、前記動作継続モード中に、前記バッテリ状態判定部が、前記バッテリの充電電力が予め定められた電力閾値を下回ると判定したときに、前記動作継続モードを解除し前記車載機器の予め定められた動作を停止する請求項１ないし請求項２０のいずれか１項に記載の車載機器制御システム。
【請求項２２】
前記車載装置は、前記動作継続モードへ移行してからの時間を計測する時間計測部を備え、
前記動作制御部は、前記動作継続モードへ移行してからの時間が前記動作継続時間を上回るときに、前記動作継続モードを解除し前記車載機器の予め定められた動作を停止する請求項１ないし請求項２１のいずれか１項に記載の車載機器制御システム。
【請求項２３】
前記第１周波数帯は、ＬＦ帯である請求項１ないし請求項２２のいずれか１項に記載の車載機器制御システム。
【発明の詳細な説明】
【技術分野】
【０００１】
本発明は、車載機器制御システムに関する。
【背景技術】
【０００２】
車両の電子化が進み、車両に搭載される車載装置と、車両の利用者が所持する携帯機とで構成される電子キーシステムが実用化されている。この種の電子キーシステムは、車載装置と携帯機との間で無線通信による認証が成立すれば、機械式キーでの操作を行わなくても、ドアのロック／アンロックやエンジン始動等の制御を実行できる仕組みになっている。
【０００３】
この携帯機は、通常は、例えば衣類のポケットやカバン類の中に収納されており、ユーザが車両の乗車時や運転時に実際に手にすることは殆どない。つまり、携帯機探索装置を使って携帯機が存在する領域を特定できたとしても、ユーザにとっては、その領域内のどこに携帯機があるのかが分からないことがある。そこで、携帯機を探索するための探索信号が車載装置から携帯機へ伝送されると、携帯機側に設けられた報知手段が作動し、携帯機が存在する旨を周囲に報知することで、携帯機をより容易に発見することができる電子キーシステムが考案されている（特許文献１参照）。
【０００４】
また、ユーザが乗車して車両キー（すなわち、携帯機）を検出しない状態、すなわち車両キーを持たない同乗者が先に乗り込んだ場合には、例えば空調に加えてオーディオやテレビを動作可能としつつ、エンジン始動やシフト操作を禁止して、車載機器の利便性を向上させることができる車載機器制御装置が考案されている（特許文献２参照）。
【先行技術文献】
【特許文献】
【０００５】
【特許文献１】特開２００８−１６３６３３号公報
【特許文献２】特開２００９−０９０８７２号公報
【発明の概要】
【発明が解決しようとする課題】
【０００６】
特許文献２の構成では、車両に戻る直前に車両キーの所持者よりも先に乗り込んだ乗員に対する利便性の向上には寄与するが、例えば空調装置の制御を行う場合、車両から離れている時間が長いときには、車室内温度が上昇あるいは下降しているので、乗車直前に本装置を作動させても、設定温度に戻るまでに時間がかかり、快適性を損なうという問題がある。
【０００７】
夏・冬を問わず、空調装置を停止すると、わずかな時間で車室内の環境が悪化してしまう。夏の例では、短時間で車室内の温度が上がってしまうことで、空調装置を再始動した際に最大能力で冷房が行われることが多く、しばらくの間は燃料消費が多い状態になるだけでなく、加速性能の低下も招く。また、ハイブリッド車（以下ＨＶ車）の空調装置は、多くが電動コンプレッサーを採用し、エンジンによる動力を直接使わない構成となっているが、それでも空調エネルギー（電力）の確保のために、エンジンを駆動することが多い。
【０００８】
上述のような理由から、コンビニエンスストアでの買い物など短時間車両から離れるような場合、ユーザによっては再乗車時に車室内温度の変化により生ずる不快感を嫌って、空調機能を継続するためにイグニッションＯＮ状態のままとし、車両によってはイグニッションＯＮ状態での施錠を禁止している場合もあるため、さらには施錠もせず車両から離れてしまうことがある。その結果、燃料を無駄に消費してしまうだけでなく、車上荒らしや車両盗難といった被害を受ける恐れがあった。
【０００９】
また、特許文献１の構成では、携帯機がどこにあるのかは分かるが、車載機器の利便性を向上させることについては開示されていない。
【００１０】
上記問題点を背景として、本発明の課題は、ユーザが車両から離れるときに、防犯性を損なうことなく車載機器の動作を維持し、ユーザの利便性を向上させることができる車載機器制御システムを提供することにある。
【課題を解決するための手段および発明の効果】
【００１１】
上記課題を解決するための車載機器制御システムは、車両に搭載される車載装置と、ユーザが携帯する携帯機とを含み、
車載装置は、ユーザの操作入力により、車両に搭載されてバッテリからの電源供給により動作する車載機器を指定し、指定した車載機器の予め定められた動作を継続する動作継続モードへの移行を指示する動作継続モード移行指示部と、車両の走行に関する状態を取得する車両状態取得部と、取得した車両の状態に基づき、動作継続モードへの移行条件が成立したか否かを判定する移行条件判定部と、動作継続モードへの移行条件が成立したと判定したとき、予め定められた動作継続時間だけ、指定した車載機器における動作継続モードに対応した動作の実行を制御する動作制御部と、携帯機に、第１周波数帯の電波にて、動作継続モードへ移行した旨および動作継続時間を含むモード移行信号を送信する第１車載装置側送信部と、を備え、
携帯機は、車載装置からのモード移行信号を受信する第１携帯機側受信部と、モード移行信号を受信したときに、その旨を報知する報知部と、を備えることを前提とする。
【００１２】
上記構成によって、車内での操作で、短時間（すなわち、動作継続時間）だけ指定した車載機器を動作継続モードへ移行できる。そして、例えば、同乗者が車外で用を済ませる間、ユーザが車内に残る場合、エンジンを始動させずに車載機器を動作させることができる。また、ユーザが短時間だけ車両から離れるときにも、指定した車載機器を動作させたままとすることができる。特に、空調装置の場合、車両から離れるときに車室内の温度が上がることを防止できる。さらに、施錠して車両から離れることができるので、防犯性を損なうこともない。
【００１３】
また、本発明の車載機器制御システムにおいて、携帯機は、第１携帯機側受信部がモード移行信号を受信したときに、第２周波数帯の電波にて車載装置へモード移行応答信号を送信する第２携帯機側送信部を備え、車載装置は、モード移行応答信号を受信するための第２車載装置側受信部を備える。
【００１４】
上記構成によって、携帯機がモード移行信号を正しく受信したかどうかを確認することができ、場合によっては、車載装置から所定の周期および回数でモード移行信号の送信リトライを行うことができる。
【００１５】
また、本発明の車載機器制御システムにおいて、携帯機の報知部は、第１携帯機側受信部がモード移行信号を受信したときに、モード移行信号に含まれる動作継続時間に基づいて、動作継続モードの残り時間を報知する。
【００１６】
上記構成によって、携帯機を携帯するユーザは、動作継続モードの残り時間を把握することができる。
【００１７】
また、本発明の車載機器制御システムにおいて、車載装置は、動作継続モード中に、予め定められた動作継続モード解除条件が成立したか否かを判定する解除条件判定部を備え、動作継続モード解除条件が成立したと判定したときに、動作制御部は動作継続モードを解除して、動作継続モード解除条件に応じて車載機器の動作制御を行う。
【００１８】
上記構成によって、動作継続時間の残り時間に関係なく、動作継続モードを解除することができる。
【００１９】
また、本発明の車載機器制御システムにおいて、携帯機は、ユーザが操作入力を行うための操作部と、ユーザが動作継続モードの解除を指示する操作入力を行ったか否かを判定する操作判定部と、を備え、第２携帯機側送信部は、操作判定部が、ユーザが動作継続モードの解除を指示する操作入力を行ったと判定したときに、動作継続モード解除要求信号を送信するとともに、報知部は、動作継続モードの解除を報知し、
車載装置は、動作継続モード解除要求信号を受信するための第２車載装置側受信部を備え、解除条件判定部は、第２車載装置側受信部が動作継続モード解除要求信号を受信したときに、動作継続モード解除条件が成立したと判定し、動作制御部は車載機器の予め定められた動作を停止する。
【００２０】
上記構成によって、ユーザによる携帯機の操作によって、動作継続モードを解除するとともに、車載機器の予め定められた動作を停止することができる。また、ユーザも動作継続モードが解除したことを確認できる。
【００２１】
また、本発明の車載機器制御システムにおいて、車載装置は、車両のエンジンの始動操作を検出する始動操作検出部を備え、解除条件判定部は、車両のエンジンの始動操作を検出したときに、動作継続モード解除条件が成立したと判定し、動作制御部は車載機器の状態を動作継続モード移行前の状態に戻し、第１車載装置側送信部は、携帯機に動作継続モード解除信号を送信する。
【００２２】
エンジンを始動するということは、ユーザが車両に乗車しているとうことであるため、上記構成によって、ユーザの特定の操作を必要とすることなく動作継続モードを解除することができる。また、ドアを開閉して車両に乗り込む際には動作継続モードを解除しないため、例えば、空調装置では、ドア開閉でも動作は停止しないので、車室内温度の変化を抑制でき、ユーザの不快感を生じないようにすることができる。
【００２３】
また、上記課題を解決するための車載機器制御システムは、車両に搭載される車載装置と、ユーザが携帯する携帯機とを含み、
車載装置は、ユーザの操作入力により、車両に搭載されてバッテリからの電源供給により動作する車載機器を指定し、指定した車載機器の予め定められた動作を継続する動作継続モードへの移行を指示する動作継続モード移行指示部と、車両の走行に関する状態を取得する車両状態取得部と、取得した車両の状態に基づき、動作継続モードへの移行条件が成立したか否かを判定する移行条件判定部と、動作継続モードへの移行条件が成立したと判定したとき、予め定められた動作継続時間だけ、指定した車載機器における動作継続モードに対応した動作の実行を制御する動作制御部と、動作継続モードへの移行条件が成立したと判定したとき、携帯機に、第１周波数帯の電波にて、携帯機に予め定められたデータの送信を要求する通信要求信号を送信する第１車載装置側送信部と、携帯機から、第２周波数帯の電波にて、通信要求信号に応答して送信される車両状態要求信号を受信する第２車載装置側受信部と、車両状態要求信号を受信したときに、動作継続モードへ移行した旨および動作継続時間を含む動作状態信号を、第２周波数帯の電波にて送信する第２車載装置側送信部と、を備え、
携帯機は、車載装置からの通信要求信号を受信する第１携帯機側受信部と、通信要求信号を受信したときに、第２周波数帯の電波にて車載装置へ車両状態要求信号を送信する第２携帯機側送信部と、動作状態信号を受信する第２携帯機側受信部と、第２携帯機側受信部が、動作状態信号を受信したときに、その旨を報知する報知部と、を備えることを特徴とする。
【００２４】
上記構成によっても、車内での操作で、短時間（すなわち、動作継続時間）だけ指定した車載機器を動作継続モードへ移行できる。そして、例えば、同乗者が車外で用を済ませる間、ユーザが車内に残る場合、エンジンを始動させずに車載機器を動作させることができる。また、ユーザが短時間だけ車両から離れるときにも、指定した車載機器を動作させたままとすることができる。特に、空調装置の場合、車両から離れるときに車室内の温度が上がることを防止できる。さらに、携帯機との通信を確立しているかを確認した上で動作継続モードに移行できるので、ユーザへの報知を確実に行うことができる。さらに、施錠して車両から離れることができるので、防犯性を損なうこともない。
【００２５】
また、本発明の車載機器制御システムにおいて、携帯機の第２携帯機側送信部は、第２携帯機側受信部が動作状態信号を受信した後、予め定められたタイミングで車両状態要求信号を送信し、車載装置は、動作継続モード中に第２車載装置側受信部が車両状態要求信号を受信したときに、第２車載装置側送信部は、動作継続モードで動作中の車載機器の動作状態を含む動作状態信号を送信する。
【００２６】
上記構成によって、ユーザは、動作継続モードで動作中の車載機器の動作状態を随時把握することができる。
【００２７】
また、本発明の車載機器制御システムにおいて、携帯機の報知部は、動作状態信号に含まれる動作継続時間に基づく動作継続モードの残り時間、および車載機器の動作状態を報知する。
【００２８】
上記構成によって、ユーザは、動作継続モードで動作中の車載機器の動作状態に加えて動作継続モードの残り時間を随時把握することができる。
【００２９】
また、本発明の車載機器制御システムにおいて、携帯機の報知部は、第２携帯機側送信部が車両状態要求信号を送信後、予め定められた時間内に第２携帯機側受信部が動作状態信号を受信しなかったとき、その旨を報知する。
【００３０】
上記構成によって、ユーザは、動作継続モードで動作中の車載機器の動作状態を把握できないこと、および、車載機器との通信可能範囲外にいることを認識できる。
【００３１】
また、本発明の車載機器制御システムにおいて、車載装置は、動作継続モード中に、予め定められた動作継続モード解除条件が成立したか否かを判定する解除条件判定部を備え、解除条件判定部が、動作継続モード解除条件が成立したと判定したときに、動作制御部は動作継続モードを解除して、動作継続モード解除条件に応じて車載機器の動作制御を行い、第２車載装置側送信部は、動作継続モード解除条件が成立した旨を含む動作状態信号を送信する。
【００３２】
上記構成によって、動作継続時間の残り時間に関係なく、動作継続モードを解除することができる。
【００３３】
また、本発明の車載機器制御システムにおいて、携帯機の報知部は、第２携帯機側受信部が受信した動作状態信号に動作継続モード解除条件が成立した旨を含むとき、その旨を報知する。
【００３４】
上記構成によって、ユーザは動作継続モード解除条件が成立したことを認識できる。
【００３５】
また、本発明の車載機器制御システムにおいて、車載装置の解除条件判定部は、予め定められた時間内に第２車載装置側受信部が車両状態要求信号を受信しなかったとき、動作継続モード解除条件が成立したと判定し、動作制御部は車載機器の予め定められた動作を停止する。
【００３６】
車両状態要求信号を受信しないということは、ユーザが車両の近辺にいないことであり、ユーザは当分の間は（動作継続時間内には）車両に戻ってこないことが予測されるので、車載機器の動作を停止して、バッテリ電力の消耗を防ぐことができる。
【００３７】
また、本発明の車載機器制御システムにおいて、車載装置は、車両のエンジンの始動操作を検出する始動操作検出部を備え、解除条件判定部は、始動操作検出部が、車両のエンジンの始動操作を検出したときに、動作継続モード解除条件が成立したと判定するとともに、第１車載装置側送信部は携帯機に通信要求信号を送信し、携帯機の第２携帯機側受信部が通信要求信号を受信したときに、第２携帯機側送信部は車両状態要求信号を送信し、車載装置は、第２車載装置側受信部が車両状態要求信号を受信したときに、動作制御部は車載機器の状態を動作継続モード移行前の状態に戻し、第２車載装置側送信部が動作継続モード解除信号を送信する。
【００３８】
エンジンを始動するということは、ユーザが車両に乗車しているとうことであるため、上記構成によって、ユーザの特定の操作を必要とすることなく動作継続モードを解除することができる。また、ドアを開閉して車両に乗り込む際には動作継続モードを解除しないため、例えば、空調装置では、ドア開閉でも動作は停止しないので、車室内温度の変化を抑制でき、ユーザの不快感を生じないようにすることができる。また、動作継続モードの解除を確実に携帯機に送信することが可能となる。
【００３９】
また、本発明の車載機器制御システムにおいて、携帯機は、ユーザが操作入力を行うための操作部と、ユーザが動作継続モードの解除を指示する操作入力を行ったか否かを判定する操作判定部と、を備え、携帯機の第２携帯機側送信部は、操作判定部が、ユーザが動作継続モードの解除を指示する操作入力を行ったと判定したときに、動作継続モード解除要求信号を送信するとともに、報知部は、動作継続モードの解除を報知し、
車載装置の解除条件判定部は、第２車載装置側受信部が動作継続モード解除要求信号を受信したときに、動作継続モード解除条件が成立したと判定し、動作制御部は車載機器の予め定められた動作を停止し、第２車載装置側送信部は、動作継続モード解除要求信号に応答するモード解除応答信号を送信する。
【００４０】
上記構成によって、ユーザによる携帯機の操作によって、動作継続モードを解除するとともに、車載機器の予め定められた動作を停止することができる。また、ユーザも動作継続モードが解除したことを確認できる。
【００４１】
また、本発明の車載機器制御システムにおいて、車載装置は、車両状態取得部が取得した車両の状態に基づいて、車両が駐車状態にあるか否かを判定する駐車状態判定部を備え、移行条件判定部は、駐車状態判定部が、車両が駐車状態にあると判定したときに、動作継続モードへの移行条件が成立したと判定する。
【００４２】
上記構成によって、車載機器を動作継続モードで動作させるときの、車両および車載機器の安全性を確保することができる。
【００４３】
また、本発明の車載機器制御システムにおいて、車載装置の車両状態取得部は、バッテリの充電状態を取得するバッテリ状態取得部を含み、バッテリの充電状態に含まれるバッテリの充電電力が予め定められた電力閾値を上回るか否かを判定するバッテリ状態判定部を備え、移行条件判定部は、バッテリ状態判定部が、バッテリの充電電力が予め定められた電力閾値を上回ると判定したときに、動作継続モードへの移行条件が成立したと判定する。
【００４４】
上記構成によって、バッテリ電力が少ないときには動作継続モードへ移行しないため、バッテリの消耗を防止することができる。
【００４５】
また、本発明の車載機器制御システムにおいて、車載装置は、車両のボンネットフードの開閉状態を取得するボンネットフード状態取得部を備え、動作制御部は、動作継続モード中に、ボンネットフードが開状態であるときに、動作継続モードを解除し車載機器の予め定められた動作を停止する。
【００４６】
上記構成によって、動作継続モード時に、何らかの原因でボンネットフードが開けられたとき、車載機器の予め定められた動作が停止し、特にエンジンルーム内の回転機器（モータ，ベルト等）の動作が停止するので、車両および車両周囲に対する安全性を確保することができる。
【００４７】
また、本発明の車載機器制御システムにおいて、車載装置は、バッテリの充電状態を取得するバッテリ状態取得部を備え、バッテリの充電状態に含まれるバッテリの充電電力が予め定められた電力閾値を上回るか否かを判定するバッテリ状態判定部を備え、動作制御部は、動作継続モード中に、バッテリ状態判定部が、バッテリの充電電力が予め定められた電力閾値を下回ると判定したときに、動作継続モードを解除し車載機器の予め定められた動作を停止する。
【００４８】
上記構成によって、バッテリの消耗を防止し、エンジン始動のための電力を確保することができる。
【００４９】
また、本発明の車載機器制御システムにおいて、車載装置は、動作継続モードへ移行してからの時間を計測する時間計測部を備え、動作制御部は、動作継続モードへ移行してからの時間が動作継続時間を上回るときに、動作継続モードを解除し車載機器の予め定められた動作を停止する。
【００５０】
上記構成によって、ユーザの携帯機の操作に関係なく動作継続モードを解除するので、バッテリ電力の無駄な消費を防ぐことができる。
【００５１】
また、本発明の車載機器制御システムにおいて、第１周波数帯は、ＬＦ帯である。
【００５２】
例えば、スマートエントリーシステムの場合、防犯上、第１周波数帯での通信については、携帯機の検出エリアを車両周辺１〜３ｍ程度に容易に制限できることが好ましいので、ＬＦ帯が適している。
【００５３】
また、本発明の車載機器制御システムにおいて、第２周波数帯は、ＵＨＦ帯である。
【００５４】
例えば、スマートエントリーシステムの場合、第２周波数帯での通信については、送信出力が微弱でも数十ｍ、もう少し出力を上げれば数百〜千ｍ程度の通信距離を確保でき、検出エリアを容易に広く設定できることが好ましいので、ＵＨＦ帯が適している。
【図面の簡単な説明】
【００５５】
【図１】車載機器制御システムの構成を示すブロック図（実施例１）。
【図２】車載装置のＥＣＵと他の車載機器との接続構成を示すブロック図（実施例１）。
【図３】車載装置における動作継続制御処理を説明するフロー図（実施例１）。
【図４】携帯機における動作継続制御処理を説明するフロー図（実施例１）。
【図５】携帯機における動作継続モード中止処理を説明するフロー図（実施例１）。
【図６】車載機器制御システムの構成を示すブロック図（実施例２）。
【図７】車載装置のＥＣＵと他の車載機器との接続構成を示すブロック図（実施例２）。
【図８】車載装置における動作継続制御処理を説明するフロー図（実施例２）。
【図９】携帯機における動作継続制御処理を説明するフロー図（実施例２）。
【図１０】携帯機における動作継続モード中止処理を説明するフロー図（実施例２）。
【発明を実施するための形態】
【実施例１】
【００５６】
以下、本発明の車載機器制御システムの第１実施例を、図面を用いて説明する。図１に、車載機器制御システム１００の全体構成を示す。車載機器制御システム１００は、車載装置１，携帯機２を含んで構成される。
【００５７】
車載装置１は、ＥＣＵ１０，ＬＦ送信部１１，ＵＨＦ受信部１２，フラッシュメモリ等の不揮発性記憶媒体で構成されるメモリ１４，エンジンスイッチ１５，ドアアンテナ１６（１６ＦＲ，１６ＲＲ，１６ＦＬ，１６ＲＬの総称），室内アンテナ１７，トランク内アンテナ１８，トランク外アンテナ１９などを備えている。
【００５８】
ＥＣＵ１０は、周知のＣＰＵ，各種プログラム（「車載装置制御プログラム」と総称する）が格納されたＲＯＭやＲＡＭ，および信号入出力回路（いずれも図示せず）等を含むコンピュータとして構成される。そして、ＣＰＵが車載装置制御プログラムを実行することで、車載装置１としての各種機能を実現する。なお、ＥＣＵ１０が本発明の移行条件判定部，動作制御部，移行条件判定部，解除条件判定部，駐車状態判定部，バッテリ状態判定部に相当する。
【００５９】
ＬＦ送信部１１は、携帯機２に対し、ＬＦ帯（すなわち、本発明の第１周波数帯）の電波にて無線信号を送信する。また、ＬＦ送信部１１から送信される無線信号は、４箇所にあるドアアンテナ１６，室内アンテナ１７，トランク内アンテナ１８，およびトランク外アンテナ１９を介して、ドア近傍（車室外），車室内，トランク内，トランク外近傍の、限られた通信エリア内に対してのみ到達するようになっている。
【００６０】
ＵＨＦ受信部１２は、携帯機２からＵＨＦ帯（すなわち、本発明の第２周波数帯）の電波にて送信されてくる無線信号を受信する。これにより、携帯機２の出力レベルが比較的微弱でも相応に通信距離が得られ、車載装置１へより確実に応答信号を伝達できる。
【００６１】
なお、ＬＦ送信部１１，ドアアンテナ１６，室内アンテナ１７，トランク内アンテナ１８，およびトランク外アンテナ１９が本発明の第１車載装置側送信部に相当する。また、ＵＨＦ受信部１２が本発明の第２車載装置側受信部に相当する。
【００６２】
エンジンスイッチ１５は、エンジンを始動する際に利用者が操作するスイッチで、利用者がエンジンスイッチ１５を操作したことが、エンジンスイッチ１５からの信号によって検知された場合、ＥＣＵ１０はエンジン始動が許可される状態にあるか否かを判断し、エンジン始動が許可される状態にあれば、ＥＣＵ１０からエンジン制御系へエンジン始動信号が伝達されるようになっている。なお、エンジンスイッチ１５が本発明の始動操作検出部に相当する。
【００６３】
携帯機２は、制御ＩＣ２０，ＬＦ受信部２１，ＵＨＦ送信部２２，プッシュスイッチ２４〜２６，表示器２７，ブザー２８，バイブレータ２９，フラッシュメモリ等の不揮発性記憶媒体で構成されるメモリ３０などを備えている。
【００６４】
制御ＩＣ２０は、例えば、周知のＣＰＵ，各種プログラム（「携帯機制御プログラム」と総称する）が格納されたＲＯＭやＲＡＭ，および信号入出力回路（いずれも図示せず）等を含むコンピュータとして構成される。そして、ＣＰＵが携帯機制御プログラムを実行することで、携帯機２としての各種機能を実現する。なお、制御ＩＣ２０が本発明の操作判定部に相当する。
【００６５】
ＬＦ受信部２１は、車載装置１からＬＦ帯の電波にて送信されてくる無線信号を受信する。ＵＨＦ送信部２２は、車載装置１に対し、ＵＨＦ帯の電波にて無線信号を送信する。なお、ＬＦ受信部２１が本発明の第１携帯機側受信部に相当する。また、ＵＨＦ送信部２２が本発明の第２携帯機側送信部に相当する。
【００６６】
プッシュスイッチ２４，２５は、主にリモートキーレスエントリー機能を利用するためのトリガーとなるキーとして用意されたもので、ワンプッシュ操作をした場合、例えばプッシュスイッチ２４ではドアのロックが行われ、プッシュスイッチ２５ではドアのアンロックが行われる。
【００６７】
プッシュスイッチ２６は、ワンプッシュ操作をした場合、動作継続モードの解除要求を発生するようになっている（詳細は後述）。なお、プッシュスイッチ２６が本発明の操作部に相当する。
【００６８】
表示器２７は、例えば、表示中に消費電力が不要か、または極小で済む電子ペーパーによって構成され、携帯機２の動作状態、あるいは動作継続モードの状態（詳細は後述）をメッセージ等により表示する。ブザー２８は、携帯機２の動作状態を音で報知するものである。バイブレータ２９は、携帯機２の動作状態を振動で報知するものである。なお、表示器２７が本発明の報知部に相当する。
【００６９】
上述の構成によって、車載機器制御システム１００における、車載装置１は、ＬＦ送信部１１を介して、携帯機２のスリープ状態を解除して通常の動作を行うようにするためのＷＡＫＥ要求信号を携帯機２へ送信する。車載装置１側では、携帯機２からのＷＡＫＥ応答信号をＵＨＦ受信部１２が正しく受信できたとき、ＩＤコードの送信要求を行うための照合要求信号を携帯機２へ送信する。そして、車載装置１側では、携帯機２からの照合要求応答信号（ＩＤコード）をＵＨＦ受信部１２が受信し、ＩＤコードの照合を行う。そして、照合結果に応じてドアのアンロックやエンジン始動の許可（エンジンスイッチ１５のオン指示等）、照合処理のリトライなどが行われる。これらは本願に直接関係しないため、詳細は割愛する。
【００７０】
上述の構成は、スマートエントリーシステムあるいは電子キーシステムといわれるもので、電子キーシステムでは、本発明の構成を、新たなハードウェアを追加することなく、車載装置制御プログラムおよび携帯機制御プログラムの改良のみにより実現することができる。
【００７１】
図２に、車載装置１のＥＣＵ１０と他の車載機器との接続構成を示すブロック図を示す。ＥＣＵ１０には、ステアリングスイッチ４１，電源状態監視部４２，フード状態検出部４３，ドア状態検出部４４，バッテリ４５が接続されている。また、ＥＣＵ１０には、車載機器であるテレビ５０，ラジオ受信装置（以下、単に「ラジオ」とも称する）５１，ナビゲーション装置５２，エアコン制御部５３，デフォッガ制御部５４，デアイサ制御部５５，駆動系制御部５６が接続されている。なお、ＥＣＵ１０とこれら検出部，装置等は直接接続してもよいし、周知の車内ＬＡＮを介して接続してもよい。
【００７２】
ステアリングスイッチ４１は、例えば周知のタクトスイッチのようなメカニカルスイッチにより構成され、ステアリングホイールの握り部あるいはスポーク部に取り付けられている。なお、ステアリングスイッチ４１が本発明の動作継続モード移行指示部に相当する。
【００７３】
電源状態監視部４２は、バッテリ４５の状態（例えば、充電状態）を監視し、その結果をＥＣＵ１０へ出力するものである。つまり、電源状態監視部４２は、バッテリ４５の状態を監視することによって、上述の車載機器が動作継続モード時に動作可能か否かを監視するものである。なお、電源状態監視部４２が本発明のバッテリ状態取得部に相当する。
【００７４】
フード状態検出部４３は、車両のエンジンルームを覆うボンネットフードの開閉状態を検出するもので、例えば開閉状態に応じてオン／オフを出力するメカニカルスイッチにより構成される。なお、フード状態検出部４３が本発明のボンネットフード状態取得部に相当する。
【００７５】
ドア状態検出部４４は、車両の各ドアの開閉状態を検出するもので、フード状態検出部４３と同様に、例えばメカニカルスイッチにより構成される。ドア状態検出部４４により、ユーザが車両に乗車したことを検出することができる。ドア状態検出部４４の他に、例えば、車室内の座席に設けられた着座センサ，カメラなどを用いてもよい。
【００７６】
テレビ５０およびラジオ５１の構成は、周知であるため詳細な説明は省略する。テレビ５０で受信した画像信号を、ナビゲーション装置５２の表示器で表示してもよい。
【００７７】
ナビゲーション装置５２は、車両の位置を検出し、電子地図データ上にその現在位置を表示したり、設定された目的地までの経路案内を行うもので、その構成は周知であるため、ここでの詳細な説明は割愛する。
【００７８】
エアコン制御部５３は、ＥＣＵ１０からの許可信号を受信した場合に操作可能な状態となり、ユーザによって操作される操作部（図示省略）からの操作信号に基づいて空調装置を駆動制御することによって、車室内の温度、湿度を調整するとともに、結露や霜などを取り除くためにフロントガラスに空調空気を送風（デフロスト）するものである。
【００７９】
デフォッガ制御部５４は、ウインドウガラス内面に抵抗回路を設け電流を流し発熱させガラスの曇りを取り除くデフォッガの動作制御を行う。
【００８０】
デアイサ制御部５５は、車両のウィンドウに配設された熱線によってワイパーブレードの凍結を融解するデアイサの動作制御を行う。
【００８１】
駆動系制御部５６は、例えば、エンジン、電気自動車における走行用モータ、トランスミッション、電動パワステなどの駆動系制御機器の動作制御を行う。また、車両の走行に関する状態を、所定のタイミングで外部に出力する。
【００８２】
図３を用いて、車載装置１における動作継続制御処理について説明する。なお、本処理は、上述の車載装置制御プログラムに含まれ、該プログラムに含まれる他の処理とともに予め定められたタイミングで実行される。
【００８３】
まず、ユーザのステアリングスイッチ４１の操作を確認する（Ｓ１１）。ユーザは、動作を継続したい車載機器（動作対象機器：テレビチューナ５０，ラジオ５１，ナビゲーション装置５２，エアコン制御部５３，デフォッガ制御部５４，デアイサ制御部５５の少なくとも一つ）を動作させ、その後、ステアリングスイッチ４１で動作継続指示の操作を行う。また、ステアリングスイッチ４１の操作で、動作を継続したい車載機器を選択できるようにしてもよい。
【００８４】
ユーザが動作継続モードへの移行を指示する操作を行ったと判定したとき（Ｓ１２：Ｙｅｓ）、車両の走行に関する状態を取得する（Ｓ１３）。そして、以下のように、動作継続モード移行条件が成立したか否かを判定する。
駆動系制御部５６から車両の走行に関する状態を取得し、以下のうちの少なくとも一つが成立して車両が駐車状態にあると判定したときに、動作継続モードへの移行条件が成立したと判定する。
・イグニッションスイッチ（エンジンスイッチ１５でもよい）がオフ状態である。
・シフトレバーがパーキングの位置にある。
・車両の速度が０ｋｍ／ｈである。
・エンジンが停止している。
・パーキングブレーキが作動している。
【００８５】
また、車両が駐車状態にあると判定したときに、電源状態監視部４２からバッテリ４５の充電状態を取得し、取得した充電状態に基づいて、バッテリ４５の充電電力が予め定められた電力閾値を上回ると判定したときに、動作継続モードへの移行条件が成立したと判定してもよい。
【００８６】
動作継続モードへの移行条件が成立したと判定したとき（Ｓ１４：Ｙｅｓ）、ＬＦ送信部１１を介して、動作継続モードでの制御を開始する旨の制御開始信号を携帯機２に送信する（Ｓ１５）。
【００８７】
次に、選択された動作対象機器の動作機能を、例えば以下のように制限する（Ｓ１６）。
・テレビチューナ５０あるいはラジオ５１では、音量を予め定められた値以下とする。
・ナビゲーション装置５２では、表示器の輝度を下げる。音楽・映像の再生を一時停止する。
・エアコン制御部５３では、設定温度を予め定められた値とし、風量を最小、吹出口を例えば運転席フェイス吹出口のみのように制限する。
・デフォッガ制御部５４では、作動電流を通常よりも少ない予め定められた値以下とする。
・デアイサ制御部５５では、作動電流を通常よりも少ない予め定められた値以下とする。
【００８８】
なお、このとき、ＥＣＵ１０の制御により、バッテリ４５から動作継続を指定した車載機器へ電力を供給する。また、動作継続モードへ移行する前の各車載機器の動作状態は、メモリ１４に記憶される。
【００８９】
次に、メモリ１４上の制御タイマーに予め定められた動作継続時間に相当する値（例えば３分）を設定し（Ｓ１７）、制御タイマーをスタートさせる（Ｓ１８）。以降、動作継続モードとなる。
【００９０】
動作継続時間は、バッテリの充電状態と、動作対象機器が動作継続モードで消費する電力とに基づいて算出してもよい。このとき、動作継続モードで消費を許可する電力量を予め設定しておいてもよい。こうすることで、バッテリ上がりを防止することができる。
【００９１】
次に、ユーザのエンジンスイッチ１５の操作を確認し、イグニッションスイッチをオン状態とするように操作されたこと（すなわち、エンジン始動要求）を検出したとき（Ｓ２０：Ｙｅｓ）、動作継続モードを終了し、動作対象機器の動作機能の制限を解除し、メモリ１４から動作継続モード移行前の状態を読み出して、動作対象機器を動作継続モード移行前の状態となるように動作させる（Ｓ２９）。そして、ＬＦ送信部１１を介して、動作継続モードでの制御を終了する旨の制御終了信号を携帯機２に送信する（Ｓ３０）。
【００９２】
車両によっては、リモートエンジンスタータのように、車両の外部から遠隔操作する車載機器では、ドアを開状態とすると車載機器の動作が停止してしまうものがある。しかし、本発明の構成では、車載機器の動作停止条件にドアの状態は含まれないため、ユーザが車両に乗り込んでエンジンを始動するまで動作継続モードは維持される。
【００９３】
イグニッションスイッチをオン状態とするように操作されたことを検出しないとき（Ｓ２０：Ｎｏ）、ＵＨＦ受信部１２が携帯機２からの信号を受信したか否かを確認する（Ｓ２１）。ＵＨＦ受信部１２が携帯機２からの信号を受信し、その信号が、制御中止要求信号（本発明の動作継続モード解除要求信号）であるとき（Ｓ２２：Ｙｅｓ）、ＥＣＵ１０の制御により、対象となる車載機器へのバッテリ４５からの電力供給を停止する（Ｓ２８）。これにより、車載機器の動作は停止する。
【００９４】
ＵＨＦ受信部１２が携帯機２からの信号を受信したか否かを確認するとき（Ｓ２１）、予め定められた時間以内に携帯機２からの信号を受信しないときには、携帯機２（すなわち、ユーザ）が車載装置１の通信圏外へ移動したと見なして、上述のステップＳ２８の処理を実行してもよい。
【００９５】
一方、ＵＨＦ受信部１２が携帯機２から信号は受信するが制御中止要求信号を受信しないとき（Ｓ２２：Ｎｏ）、ボンネットフード（図３では「フード」と略称）の開閉状態を確認する（Ｓ２３）。ボンネットフードが開状態であるとき（Ｓ２４：Ｙｅｓ）、上述のステップＳ２８の処理を実行する。
【００９６】
また、一方、ボンネットフードが開状態でないとき（Ｓ２４：Ｎｏ）、電源状態監視部４２からバッテリ４５の状態を取得する（Ｓ２５）。取得したバッテリ４５の状態に基づいて、バッテリ４５の充電電力が予め定められた電力閾値を下回ると判定したとき（Ｓ２６：Ｙｅｓ）、上述のステップＳ２８の処理を実行する。
【００９７】
また、一方、バッテリ４５の充電電力が予め定められた電力閾値を上回ると判定したとき（Ｓ２６：Ｎｏ）、制御タイマーが動作継続時間（例えば３分）を超えタイムアップしたとき（Ｓ２７：Ｙｅｓ）、上述のステップＳ２８の処理を実行する。制御タイマーがタイムアップしないとき（Ｓ２７：Ｎｏ）、ステップＳ１９以降の処理を繰り返す。
【００９８】
図４を用いて、携帯機２における動作継続制御処理について説明する。なお、本処理は、上述の携帯機制御プログラムに含まれ、該プログラムに含まれる他の処理とともに予め定められたタイミングで実行される。
【００９９】
まず、メモリ３０上の動作継続モードであるか否かを示す動作継続モードフラグ（図４では、単に「フラグ」と表記，以降の表記も「フラグ」とする）に動作継続モードが解除されていることを表す０をセットする（Ｓ５１）。
【０１００】
ＬＦ受信部２１が車載装置１からの信号を受信したとき（Ｓ５２：Ｙｅｓ）、携帯機２は、受信した信号が動作継続モードでの制御を終了する旨の制御終了信号（本発明の動作継続モード解除信号）であるか否かを判定する。受信した信号が制御終了信号でないと判定したとき（Ｓ６２：Ｎｏ）、受信した信号が動作継続モードでの制御を開始する旨の制御開始信号（本発明のモード移行信号）であるか否かを判定する。受信した信号が制御開始信号でないと判定したとき（Ｓ６８：Ｎｏ）、受信した信号がＩＤコードの送信要求を行うための照合要求であるか否かを判定する。受信した信号が前述の照合要求信号であると判定したとき（Ｓ７６：Ｙｅｓ）、ＵＨＦ送信部２２は照合データ（すなわち、ＩＤコード）を含む照合要求応答信号を車載装置１へ送信する（Ｓ７７）。
【０１０１】
一方、受信した信号が制御開始信号であると判定したとき（Ｓ６８：Ｙｅｓ）、ＵＨＦ送信部２２は制御開始信号を受信したことを示すレスポンス信号（本発明のモード移行応答信号）を送信する（Ｓ６９）。
【０１０２】
次に、例えばメモリ３０上の制御タイマーに、予め定められた動作継続時間に相当する値（例えば３分）を設定し（Ｓ７０）、制御タイマーをスタートさせる（Ｓ７１）。これにより、車載装置１から残り時間に関するデータを受信しなくても、携帯機２側で、残り時間に対応した処理を実行することができる。
【０１０３】
次に、フラグに動作継続モードに移行したことを表す１をセットする（Ｓ７２）。そして、例えばメモリ３０上の、１０秒タイマーのような、携帯機２の間欠動作のタイミングを生成するための間欠タイマーをスタートさせる（Ｓ７３）。
【０１０４】
次に、表示器２７に、動作継続モードに移行した旨のメッセージを表示して（Ｓ７４）、動作開始を報知する（Ｓ７５）。動作継続モードの残り時間（例えば３分）を表示してもよい。ブザー２８の吹鳴あるいはバイブレータ２９の振動により、ユーザに動作開始を報知してもよい。
【０１０５】
また、一方、受信した信号が制御終了信号であると判定したとき（Ｓ６２：Ｙｅｓ）、制御終了信号を受信したことを示すレスポンス信号（本発明のモード終了応答信号）を送信する（Ｓ６３）。
【０１０６】
次に、制御タイマーを停止し（Ｓ６４）、フラグに０をセットし（Ｓ６５）、間欠タイマーを停止し（Ｓ６６）、表示器２７に表示されている、動作継続モードで制御中である旨のメッセージを消去する（Ｓ６７）。
【０１０７】
また、一方、ＬＦ受信部２１が車載装置１からの信号を受信していないとき（Ｓ５２：Ｎｏ）、フラグに１がセットされているか否かを判定する。フラグに１がセットされていないと判定したとき（Ｓ５３：Ｎｏ）、ステップＳ５２へ戻る。一方、フラグに１がセットされていると判定したとき（Ｓ５３：Ｙｅｓ）、間欠タイマーがタイムアップ（例えば、１０秒経過）し、携帯機２の間欠動作のタイミングが到来したか否かを判定する。
【０１０８】
間欠タイマーがタイムアップしたとき（Ｓ５４：Ｙｅｓ）、表示器２７に表示されている動作継続モードの残り時間（すなわち制御タイマー値）を更新（カウントダウン）する（Ｓ５５）。表示の煩わしさの防止あるいは携帯機２の消費電力低減のため、カウントダウン表示を行わないようにしてもよい。間欠タイマーがタイムアップしていないとき（Ｓ５４：Ｎｏ）、あるいは、カウントダウン表示実行後（Ｓ５５）、制御タイマーがタイムアップ（例えば、３分経過）したか否かを判定する。
【０１０９】
制御タイマーがタイムアップしていないとき（Ｓ５６：Ｎｏ）、ステップＳ５２へ戻る。一方、制御タイマーがタイムアップしたとき（Ｓ５６：Ｙｅｓ）、制御タイマーを停止し（Ｓ５７）、フラグに０をセットし（Ｓ５８）、間欠タイマーを停止し（Ｓ５９）、表示器２７に表示されている、動作継続モードで制御中である旨のメッセージを消去する（Ｓ６０）。
【０１１０】
次に、表示器２７に、動作継続モードが終了した旨のメッセージを表示して、動作終了を報知する（Ｓ６１）。ブザー２８の吹鳴あるいはバイブレータ２９の振動により、ユーザに動作終了を報知してもよい。
【０１１１】
ユーザの携帯機２の操作により動作継続モードを解除（中止）させることもできる。以下、図５を用いて、動作継続モード中止処理について説明する。なお、本処理は、割り込み処理等のような、図４の携帯機２の動作継続制御処理の処理タイミングとは異なるタイミングで実行される。また、本処理の一部は、図４の処理の一部と同様であるため、該当処理には同一のステップ番号を付与してある。
【０１１２】
まず、ユーザのプッシュスイッチ２６の操作により、動作継続モードの中止要求（すなわち、制御中止要求）が発生したか否かを確認し、制御中止要求が発生したとき（Ｓ６３１：Ｙｅｓ）、ＵＨＦ送信部２２は、車載装置１に制御中止要求信号（本発明の動作継続モード解除要求信号）を送信する（Ｓ６３２）。
【０１１３】
次に、制御タイマーを停止し（Ｓ６４）、フラグに０をセットし（Ｓ６５）、間欠タイマーを停止し（Ｓ６６）、表示器２７に表示されている、動作継続モードで制御中である旨のメッセージを消去する（Ｓ６７）。その後、本処理を終了する。
【０１１４】
ステップＳ６７を実行後、図４の携帯機２の動作継続制御処理のステップＳ５２へ進んでもよい。
【実施例２】
【０１１５】
本発明の車載機器制御システムの第２実施例を、図面を用いて説明する。なお、本実施例は第１実施例の変形例であるため、第１実施例と同一の構成箇所については同一の符号を付与し、ここでの詳細な説明は割愛する。
【０１１６】
図６に、車載機器制御システム１００の全体構成を示す。車載機器制御システム１００は、第１実施例と同様に、車載装置１，携帯機２を含んで構成される。図１（第１実施例）と異なる点は、車載装置１にＵＨＦ送信部１３が設けられ、携帯機２にＵＨＦ受信部２３が設けられ、車載装置１と携帯機２とがＵＨＦによる双方向の通信が可能となっていることである。また、ＵＨＦ送信部２２とＵＨＦ受信部２３とは、制御ＩＣ２０からの切替信号によって送受信の動作が切り替えられる。なお、ＵＨＦ送信部１３が本発明の第２車載装置側送信部に相当する。また、ＵＨＦ受信部２３が本発明の第２携帯機側受信部に相当する。
【０１１７】
図７に、車載装置１のＥＣＵ１０と他の車載機器との接続構成を示すブロック図を示す。図２（第１実施例）と異なる点は、ＵＨＦ送信部１３が設けられていることである。
【０１１８】
図８を用いて、車載装置１における動作継続制御処理について説明する。なお、本処理は、第１実施例と同様に車載装置制御プログラムに含まれ、該プログラムに含まれる他の処理とともに予め定められたタイミングで実行される。
【０１１９】
まず、第１実施例と同様に、ユーザのステアリングスイッチ４１の操作を確認する（Ｓ１１）。ステアリングスイッチ４１を操作して、ユーザが動作継続モードへの移行を指示する操作を行ったと判定したとき（Ｓ１２：Ｙｅｓ）、車両の走行に関する状態を取得する（Ｓ１３）。そして、第１実施例と同様に、動作継続モード移行条件が成立したか否かを判定する。
【０１２０】
動作継続モードへの移行条件が成立したと判定したとき（Ｓ１４：Ｙｅｓ）、ＬＦ送信部１１を介して、動作継続モードでの制御を開始する旨の制御開始信号を携帯機２に送信する（Ｓ１５）。
【０１２１】
次に、第１実施例と同様に、選択された動作対象機器の動作機能を制限し（Ｓ１６）、ＥＣＵ１０の制御により、対象となる車載機器へバッテリ４５から電力を供給する。また、動作継続モードへの移行する前の動作状態は、メモリ１４に記憶される。
【０１２２】
次に、メモリ１４上の制御タイマーに予め定められた動作継続時間に相当する値（例えば３分）を設定し（Ｓ１７）、制御タイマーをスタートさせる（Ｓ１８）。以降、動作継続モードとなる。
【０１２３】
次に、ユーザのエンジンスイッチ１５の操作を確認し、イグニッションスイッチをオン状態とするように操作されたこと（すなわち、エンジン始動要求）を検出したとき（Ｓ２０：Ｙｅｓ）、動作継続モードを終了し、動作対象機器の動作機能の制限を解除し、メモリ１４から動作継続モード移行前の状態を読み出して、動作対象機器を動作継続モード移行前の状態となるように動作させる（Ｓ２９）。そして、ＬＦ送信部１１を介して、通信要求信号を携帯機２に送信する（Ｓ３０１）。次に、ＵＨＦ受信部１２でデータを受信したか否かを確認する（Ｓ３１）そして、ＵＨＦ受信部１２が携帯機２から車両状態確認要求信号を受信したとき（Ｓ３２：Ｙｅｓ）、ＵＨＦ送信部１３は、レスポンス（本発明の動作継続モード解除信号）を送信する（Ｓ３３）。
【０１２４】
一方、イグニッションスイッチをオン状態とするように操作されたことを検出しないとき（Ｓ２０：Ｎｏ）、ＵＨＦ受信部１２が携帯機２からの信号を受信したか否かを確認する（Ｓ２１）。ＵＨＦ受信部１２が携帯機２からの信号を受信し、その信号が、制御中止要求信号（本発明の動作継続モード解除要求信号）であるとき（Ｓ２２：Ｙｅｓ）、ＵＨＦ送信部１３は、動作継続モードの中止要因が「ユーザ操作」である旨を含むレスポンス（本発明のモード解除応答信号）を送信する（Ｓ２２３）。そして、イグニッションスイッチがオフ状態にあるときと同様の状態となるように、ＥＣＵ１０の制御により、対象となる車載機器へのバッテリ４５からの電力供給を停止する（Ｓ２８）。これにより、車載機器の動作は停止する。
【０１２５】
ＵＨＦ受信部１２が携帯機２から受信した信号が、車両状態確認要求信号であるとき（Ｓ２２１：Ｙｅｓ）、ＵＨＦ送信部１３は、レスポンス（本発明の動作状態信号）を送信する（Ｓ２２２）。
【０１２６】
一方、ＵＨＦ受信部１２が携帯機２から受信した信号が、制御中止要求信号および車両状態確認要求信号のいずれでもないとき（Ｓ２２１：Ｎｏ）、ボンネットフード（図８では「フード」と略称）の開閉状態を確認する（Ｓ２３）。ボンネットフードが開状態であるとき（Ｓ２４：Ｙｅｓ）、上述のステップＳ２８の処理を実行する。
【０１２７】
ＵＨＦ受信部１２が携帯機２からの信号を受信したか否かを確認するとき（Ｓ２１）、予め定められた時間以内に携帯機２からの信号を受信しないときには、携帯機２（すなわち、ユーザ）が車載装置１の通信圏外へ移動したと見なして、上述のステップＳ２８の処理を実行してもよい。
【０１２８】
また、一方、ボンネットフードが開状態でないとき（Ｓ２４：Ｎｏ）、電源状態監視部４２からバッテリ４５の状態を取得する（Ｓ２５）。取得したバッテリ４５の状態に基づいて、バッテリ４５の充電電力が予め定められた電力閾値を下回ると判定したとき（Ｓ２６：Ｙｅｓ）、上述のステップＳ２８の処理を実行する。一方、制御タイマーが動作継続時間（例えば３分）を超えタイムアップしたとき（Ｓ２７：Ｙｅｓ）、上述のステップＳ２８の処理を実行する。制御タイマーがタイムアップしないとき（Ｓ２７：Ｎｏ）、ステップＳ１９以降の処理を繰り返す。
【０１２９】
図９を用いて、携帯機２における動作継続制御処理について説明する。なお、本処理は、上述の携帯機制御プログラムに含まれ、該プログラムに含まれる他の処理とともに予め定められたタイミングで実行される。
【０１３０】
まず、第１実施例と同様に、動作継続モードであるか否かを示す動作継続モードフラグ（図９では、単に「フラグ」と表記，以降の表記も「フラグ」とする）に動作継続モードが解除されていることを表す０をセットする（Ｓ５１）。
【０１３１】
ＬＦ受信部２１が車載装置１からの信号を受信したとき（Ｓ５２：Ｙｅｓ）、携帯機２は、受信した信号が予め定められたデータの送信を要求する通信要求信号であるか否かを判定する。受信した信号が通信要求信号でないと判定したとき（Ｓ５２１：Ｎｏ）、受信した信号がＩＤコードの送信要求を行うための照合要求であるか否かを判定する。受信した信号が照合要求信号であると判定したとき（Ｓ７６：Ｙｅｓ）、ＵＨＦ送信部２２は照合データ（すなわち、ＩＤコード）を含む照合要求応答信号を車載装置１へ送信する（Ｓ７７）。
【０１３２】
一方、受信した信号が通信要求信号であると判定したとき（Ｓ５２１：Ｙｅｓ）、ＵＨＦ送信部２３は車両状態確認要求信号を送信する（Ｓ５２２）。そして、ＵＨＦ受信部２２が車載装置１からの信号を受信したか否かを確認する（Ｓ５２３）。ＵＨＦ受信部２２が車載装置１からの信号を受信し、その信号が、動作継続モードへ移行した旨および動作継続時間を含む動作状態信号である（すなわち、動作継続モードで制御中である）とき（Ｓ５２４：Ｙｅｓ）、第１実施例と同様に、例えばメモリ３０上の制御タイマーに、予め定められた動作継続時間に相当する値（例えば３分）を設定し（Ｓ７０）、制御タイマーをスタートさせる（Ｓ７１）。
【０１３３】
次に、フラグに動作継続モードに移行したことを表す１をセットする（Ｓ７２）。そして、例えばメモリ３０上の、１０秒タイマーのような、携帯機２の間欠動作のタイミングを生成するための間欠タイマーをスタートさせる（Ｓ７３）。そして、表示器２７に、動作継続モードに移行した旨のメッセージを表示して（Ｓ７４）、動作開始を報知する（Ｓ７５）。動作継続モードの残り時間（例えば３分）を表示してもよい。ブザー２８の吹鳴あるいはバイブレータ２９の振動により、ユーザに動作開始を報知してもよい。
【０１３４】
一方、ＵＨＦ受信部２２が受信した動作状態信号に、動作継続モードを解除させるための条件である動作継続モード解除条件が成立した旨を含む（すなわち、動作継続モードで制御中でない）とき（Ｓ５２４：Ｎｏ）、動作状態信号に成立した動作継続モード解除条件（中止要因）が含まれているか否かを判定する。中止要因（ボンネットフード開，バッテリ容量低下など）が含まれているとき（Ｓ５２５：Ｙｅｓ）、表示器２７に、「バッテリ容量低下のため、○○（車載機器名）の動作を停止しました」のように、その中止要因を表示して（Ｓ５２６）、動作継続モードを解除した旨をユーザに報知する（Ｓ５２７）。ブザー２８の吹鳴あるいはバイブレータ２９の振動により、ユーザに報知してもよい。
【０１３５】
中止要因が含まれていないとき（Ｓ５２５：Ｎｏ）、および上述のステップＳ５２７を実行後、第１実施例と同様に、制御タイマーを停止し（Ｓ６４）、フラグに０をセットし（Ｓ６５）、間欠タイマーを停止し（Ｓ６６）、表示器２７に表示されている、動作継続モードで制御中である旨のメッセージを消去する（Ｓ６７）。
【０１３６】
また、一方、ＬＦ受信部２１が車載装置１からの信号を受信していないとき（Ｓ５２：Ｎｏ）、フラグに１がセットされているか否かを判定する。フラグに１がセットされていないと判定したとき（Ｓ５３：Ｎｏ）、ステップＳ５２へ戻る。一方、フラグに１がセットされていると判定したとき（Ｓ５３：Ｙｅｓ）、間欠タイマーがタイムアップし、携帯機２の間欠動作のタイミングが到来したか否かを判定する。
【０１３７】
間欠タイマーがタイムアップしたとき（Ｓ５４：Ｙｅｓ）、ＵＨＦ送信部２３は車両状態確認要求信号を送信する（Ｓ５４１）。そして、ＵＨＦ受信部２２が車載装置１からの信号を受信したか否かを確認する（Ｓ５４２）。ＵＨＦ受信部２２が車載装置１からの信号（動作状態信号）を受信し、その動作状態信号に、動作継続モードを解除させるための条件である動作継続モード解除条件が成立した旨を含む（すなわち、動作継続モードで制御中でない）とき（Ｓ５４３：Ｎｏ）、ステップＳ５２５へ進む。一方、間欠タイマーがタイムアップしていないとき（Ｓ５４：Ｎｏ）、ステップＳ５６へ進む。
【０１３８】
また、ＵＨＦ受信部２２が車載装置１からの信号を受信したか否かを確認するとき（Ｓ５４２）、予め定められた時間以内に車載装置１からの信号を受信しないときには、ステップＳ５２５へ進むようにしてもよい。
【０１３９】
一方、受信した動作状態信号に、動作継続モードで動作中の車載機器の動作状態を含む（すなわち、動作継続モードで制御中である）とき（Ｓ５４３：Ｙｅｓ）、車載機器の動作状態に基づいて表示器２７の表示を更新する（Ｓ５４４）。更新内容は、動作継続モードの残り時間、動作対象機器がエアコン装置（エアコン制御部５３）であれば、設定温度，車室内温度，送風モード等を表示する。
【０１４０】
次に、第１実施例と同様に、制御タイマーがタイムアップしたか否かを判定する。制御タイマーがタイムアップしていないとき（Ｓ５６：Ｎｏ）、ステップＳ５２へ戻る。一方、制御タイマーがタイムアップしたとき（Ｓ５６：Ｙｅｓ）、制御タイマーを停止し（Ｓ５７）、フラグに０をセットし（Ｓ５８）、間欠タイマーを停止し（Ｓ５９）、表示器２７に表示されている、動作継続モードで制御中である旨のメッセージを消去する（Ｓ６０）。そして、表示器２７に、動作継続モードが終了した旨のメッセージを表示して、動作終了を報知する（Ｓ６１）。ブザー２８の吹鳴あるいはバイブレータ２９の振動により、ユーザに動作終了を報知してもよい。
【０１４１】
第１実施例と同様に、ユーザにより動作継続モードを解除（中止）させることもできる。以下、図１０を用いて、動作継続モード中止処理について説明する。なお、本処理は、割り込み処理等のような、図９の携帯機２の動作継続制御処理の処理タイミングとは異なるタイミングで実行される。また、本処理の一部は、図９の処理の一部と同様であるため、該当処理には同一のステップ番号を付与してある。
【０１４２】
まず、ユーザのプッシュスイッチ２６の操作により、動作継続モードの中止要求（すなわち、制御中止要求）が発生したか否かを確認し、制御中止要求が発生したとき（Ｓ５２２ａ：Ｙｅｓ）、ＵＨＦ送信部２２は、車載装置１に制御中止要求信号（本発明の動作継続モード解除要求信号）を送信する（Ｓ５２２ｂ）。
【０１４３】
次に、ＵＨＦ受信部２２が車載装置１からの信号を受信したか否かを確認する（Ｓ５２３）。ＵＨＦ受信部２２が車載装置１からの信号（レスポンス）を受信しなかったとき（Ｓ５２４：Ｎｏ）、表示器２７でのメッセージ表示（例えば、「車載装置１の、動作継続モードの中止要求の受信を確認できませんでした」）、ブザー２８の吹鳴あるいはバイブレータ２９の振動により、車載装置１との通信ができなかった旨（通信エラー）を報知する（Ｓ５２８）。一方、ＵＨＦ受信部２２が車載装置１からの信号を受信したとき（Ｓ５２４：Ｙｅｓ）、その信号（例えばモード解除応答信号）に成立した動作継続モード解除条件（中止要因）が含まれているか否かを判定する。中止要因（この場合は「ユーザ操作」であるが、他の中止要因でもよい）が含まれているとき（Ｓ５２５：Ｙｅｓ）、表示器２７に、「ユーザの中止操作のため、動作を停止しました」のように、その中止要因を表示して（Ｓ５２６）、動作継続モードが停止した旨をユーザに報知する（Ｓ５２７）。ブザー２８の吹鳴あるいはバイブレータ２９の振動により、ユーザに報知してもよい。
【０１４４】
中止要因が含まれていないとき（Ｓ５２５：Ｎｏ）、および上述のステップＳ５２７を実行後、図９と同様に、制御タイマーを停止し（Ｓ６４）、フラグに０をセットし（Ｓ６５）、間欠タイマーを停止し（Ｓ６６）、表示器２７に表示されている、動作継続モードで制御中である旨のメッセージを消去する（Ｓ６７）。その後、本処理を終了する。
【０１４５】
ステップＳ６７を実行後、図９の携帯機２の動作継続制御処理のステップＳ５２へ進んでもよい。
【０１４６】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【０１４７】
１  車載装置
２  携帯機
１０  ＥＣＵ（車両状態取得部，移行条件判定部，動作制御部，移行条件判定部，解除条件判定部，駐車状態判定部，バッテリ状態判定部）
１１  ＬＦ送信部（第１車載装置側送信部）
１２  ＵＨＦ受信部（第２車載装置側受信部）
１３  ＵＨＦ送信部（第２車載装置側送信部）
１５  エンジンスイッチ（始動操作検出部）
１６  ドアアンテナ（第１車載装置側送信部）
１７  室内アンテナ（第１車載装置側送信部）
１８  トランク内アンテナ（第１車載装置側送信部）
１９  トランク外アンテナ（第１車載装置側送信部）
２０  制御ＩＣ（操作判定部）
２１  ＬＦ受信部（第１携帯機側受信部）
２２  ＵＨＦ送信部（第２携帯機側送信部）
２３  ＵＨＦ受信部（第２携帯機側受信部）
２６  プッシュスイッチ（操作部）
２７  表示器（報知部）
２８  ブザー（報知部）
２９  バイブレータ（報知部）
４１  ステアリングスイッチ（動作継続モード移行指示部）
４２  電源状態監視部（バッテリ状態取得部）
４３  フード状態検出部（ボンネットフード状態取得部）
５０  テレビ（車載機器）
５１  ラジオ受信装置（車載機器）
５２  ナビゲーション装置（車載機器）
５３  エアコン制御部（車載機器）
５４  デフォッガ制御部（車載機器）
５５  デアイサ制御部（車載機器）
５６  駆動系制御部
１００  車載機器制御システム
【図１】
0005505645.tif 000002
【図２】
0005505645.tif 000003
【図３】
0005505645.tif 000004
【図４】
0005505645.tif 000005
【図５】
0005505645.tif 000006
【図６】
0005505645.tif 000007
【図７】
0005505645.tif 000008
【図８】
0005505645.tif 000009
【図９】
0005505645.tif 000010
【図１０】
0005505645.tif 000011